(57)【特許請求の範囲】
【請求項１】
ブックカバーを作成するためのブックカバー作成用テンプレートであって、平面視矩形状のテンプレート本体と、該テンプレート本体の外郭を画定する四辺のうちの第一の辺上に基端が設定され、該第一の辺の全長又は略全長に亘って延出した第一の片部と、該テンプレート本体の外郭を画定する四辺のうちの前記第一の辺と直角をなして連続する第二の辺上に基端が設定され、少なくとも前記第一の辺と前記第二の辺との交点側で延出した第二の片部とを備え、第一の片部及び第二の片部のそれぞれに切込部が形成され、第一の片部の切込部は、第一の片部上に通過点及び終点を有し、第二の片部の切込部は、第二の片部上に通過点及び終点を有し、第一の辺と直交する方向における第一の辺から第一の片部に形成された切込部の通過点又は終点までの距離と、第一の辺の延長線と直交する方向における該第一の辺の延長線から第二の片部に形成された切込部の通過点又は終点までの距離とが同一距離に設定されるとともに、第二の辺と直交する方向における第二の辺から第二の片部に形成された切込部の通過点又は終点までの距離と、第二の辺の延長線と直交する方向における該第二の辺の延長線から第一の片部に形成された切込部の通過点又は終点までの距離とが同一距離に設定され、テンプレート本体は、該テンプレート本体の外郭を画定する第三の辺であって、第一の辺と平行な第三の辺と、該テンプレート本体の外郭を画定する第四の辺であって、第二の辺と平行な第四の辺とを有し、第三の辺及び第四の辺が最外縁を構成していることを特徴とするブックカバー作成用テンプレート。
【請求項２】
第一の片部又は第二の片部の何れか一方に形成された切込部は、該切込部の形成された片部の前記第一の辺と前記第二の辺との交点側にある側端上で開放するように形成され、第一の片部又は第二の片部の何れか他方に形成された切込部は、該切込部の形成された片部の基端とは反対側の先端上で開放するように形成されている請求項１に記載のブックカバー作成用テンプレート。
【請求項３】
第一の片部に形成された切込部、及び第二の片部に形成された切込部の少なくとも何れか一方は、前記通過点又は終点に向かうにつれて切り込み幅が狭くなるように形成されている請求項２に記載のブックカバー作成用テンプレート。
【発明の詳細な説明】
【技術分野】
【０００１】
本発明は、ブックカバーを作成するためのブックカバー作成用テンプレートに関する。
【背景技術】
【０００２】
従来から、本を保護するためのブックカバーが周知である。かかるブックカバーは、本の表紙（表表紙、裏表紙）及び背を覆えるサイズに設定された四角形状をなすシート状のカバー本体を備えている。
【０００３】
そして、ブックカバーには、カバー本体の両端部に形成された袋部に表表紙及び裏表紙の角側の端部を挿入することで本に装着できるようになったものや、カバー本体の一端部に形成された袋部に表表紙又は裏表紙の何れか一方の角側の端部を挿入し、表表紙又は裏表紙の何れか他方の角側の端部を巻き込むようにカバー本体の他端側を折り返すことで本に装着できるようになったもの、表表紙及び裏表紙の角側の端部を巻き込むようにカバー本体の両端部を折り返すことで本に装着できるようになったもの等がある。
【０００４】
そして、カバー本体の端部を折り返して本に装着するように構成されたブックカバーは、カバー本体の折り返した部分（端部）が起き上がって本への装着が解除されることがあるため、一般的に、粘着テープ等の接着手段でカバー本体の端部を本の表紙の裏面に貼着したり（例えば、特許文献１参照）、カバー本体の上下方向の両端に掛け渡たすようにベルトを設け、該ベルトとカバー本体との間に折り返した部分を挿入したりすることで、本への装着が解除されないようになっている。
【先行技術文献】
【特許文献】
【０００５】
【特許文献１】登録実用新案第３０６１４１９号公報
【発明の概要】
【発明が解決しようとする課題】
【０００６】
ところで、カバー本体に袋部が形成されたりベルトが設けられたりしたブックカバーは、袋部やベルトの配置によって装着できる本のサイズが決まっているため、サイズの異なる本をカバー（保護）する場合、そのサイズにあったブックカバーを用意しなければならない。
【０００７】
そのため、使用者は新たなブックカバーを購入したり作成したりすることになるが、ブックカバーを購入する場合、ブックカバーの模様や色に限りがあり、使用者の好みにあったものを選択できない場合が多い。これに対し、ブックカバーを作成する場合、シート材を選択することで好みにあった色や模様のブックカバーを作成できるものの、シート材を曲げ加工した上で縫製や接着等の面倒な作業を行わなければならない。
【０００８】
また、表表紙及び裏表紙の角側の端部を巻き込むようにカバー本体の端部を折り返し、粘着テープ等の接着手段でカバー本体の端部を本の表紙の裏面に貼着するようにしたブックカバーは、全体が一枚のシートで構成されるため、シート材を選択すれば、好みにあった色や模様のものになるが、接着手段の粘着剤で本が汚れたり、本から取り外すときに表紙が傷んだりしてしまうといった問題がある。
【０００９】
そこで、本発明は、斯かる実情に鑑み、本に対する接着を伴うことなく本への装着が維持可能なブックカバーを簡単に作成できるブックカバー作成用テンプレートを提供することを課題とする。
【課題を解決するための手段】
【００１０】
本発明に係るブックカバー作成用テンプレートは、  ブックカバーを作成するためのブックカバー作成用テンプレートであって、平面視矩形状のテンプレート本体と、該テンプレート本体の外郭を画定する四辺のうちの第一の辺上に基端が設定され、該第一の辺の全長又は略全長に亘って延出した第一の片部と、該テンプレート本体の外郭を画定する四辺のうちの前記第一の辺と直角をなして連続する第二の辺上に基端が設定され、少なくとも前記第一の辺と前記第二の辺との交点側で延出した第二の片部とを備え、第一の片部及び第二の片部のそれぞれに切込部が形成され、第一の片部の切込部は、第一の片部上に通過点及び終点を有し、第二の片部の切込部は、第二の片部上に通過点及び終点を有し、第一の辺と直交する方向における第一の辺から第一の片部に形成された切込部の通過点又は終点までの距離と、第一の辺の延長線と直交する方向における該第一の辺の延長線から第二の片部に形成された切込部の通過点又は終点までの距離とが同一距離に設定されるとともに、第二の辺と直交する方向における第二の辺から第二の片部に形成された切込部の通過点又は終点までの距離と、第二の辺の延長線と直交する方向における該第二の辺の延長線から第一の片部に形成された切込部の通過点又は終点までの距離とが同一距離に設定され、テンプレート本体は、該テンプレート本体の外郭を画定する第三の辺であって、第一の辺と平行な第三の辺と、該テンプレート本体の外郭を画定する第四の辺であって、第二の辺と平行な第四の辺とを有し、第三の辺及び第四の辺が最外縁を構成していることを特徴とする。
【００１１】
上記構成のブックカバー作成用テンプレートは、平面視矩形状のテンプレート本体と、該テンプレート本体の外郭を画定する四辺のうちの第一の辺上に基端が設定され、該第一の辺の全長に亘って延出した第一の片部と、該テンプレート本体の外郭を画定する四辺のうちの前記第一の辺と直角をなして連続する第二の辺上に基端が設定され、少なくとも前記第一の辺と前記第二の辺との交点側で延出した第二の片部とを備えているため、四つ折りにした紙製や樹脂製のシート材を当該テンプレートに重ね、筆記具等でシート材上に第一及び第二の片部の型取りを行った上で、型取りした型に沿ってシート材を切断したり、第一及び第二の片部に沿ってシート材を直接切断したりすることでブックカバーを作成することができる。
【００１２】
具体的には、本の表紙及び背を覆うことのできる十分なサイズのシート材を四つ折りにし、四つ折りの最初の二つ折りで形成される稜線が、テンプレート本体の外郭を画定する第一の辺と平行な辺（第三の辺）、又はテンプレート本体の外郭を画定する第二の辺と平行な（第四の辺）の何れか一方と一致する又は平行になり、且つ、シート材を四つ折りするときの二度目の二つ折りで形成される稜線が、テンプレート本体の第一の辺と平行をなす辺（第三の辺）、又は第二の辺と平行をなす辺（第四の辺）の何れか他方と一致する又は平行になるように、四つ折りにしたシート材とテンプレートとを重ね合わせる。そして、この状態で、シート材に筆記具等で第一の片部及び第二の片部の型取りをして四つ折り状態のシート材を型取りした型に沿って切断するか、或いは、第一の片部及び第二の片部に沿って四つ折り状態のシート材を切断すれば、ブックカバーを展開したものが四つ折り状態で作成される。従って、切断後のシート材を展開することでブックカバーの展開したものとなる。
【００１３】
また、上記ブックカバー作成用テンプレートは、テンプレート本体の外郭を画定する四辺のうちの第一の辺と平行な辺（第三の辺）又は該辺と平行な仮想線を基準に反転させ、また、テンプレート本体の外郭を画定する四辺のうちの第二の辺と平行な辺（第四の辺）又は該辺と平行な仮想線を基準に反転させることで、当該テンプレートを隣接する四つの領域に配置できるため、本の表紙を覆うことのできる十分なサイズのシート材上で四つの領域のそれぞれにテンプレートを配置する度に、該シート材に第一及び第二の片部の型取りすることで、シート材にブックカバーを展開したものの型取りを行うことができる。従って、型取りした型に沿ってシート材を切断すればブックカバーを展開したものを作成することができる。
【００１４】
そして、第一の片部及び第二の片部は、それぞれに切込部が形成され、第一の片部及び第二の片部に形成された切込部は、該切込部の形成された片部の基端の延びる方向と直交する方向で該基端から同一距離離れ、且つ、該切込部の形成された片部の基端が設定された辺と前記交点を形成する辺の延長線から該片部の基端の延びる方向で同一距離離れた位置が通過点又は終点になるように形成されているので、ブックカバーを展開したものにもテンプレートの切込部に対応した切込みが形成される。
【００１５】
これにより、ブックカバーを展開したものに形成されたテンプレートの第一の片部及び第二の片部と対応した部分を基端に沿って折り返し、各部分の切込み同士を噛み合わせることで、第一の片部と対応して形成された部分と第二の片部と対応して形成された部分とが互いに拘束しあって起き上がりの防止された折り返し部が形成される。従って、本発明に係るブックカバー作成用テンプレートを用いれば、左右両側の折り返し部に本の表紙を嵌め込むことで本への装着が可能なブックカバーを作成することができる。
【００１６】
本発明の一態様として、第一の片部又は第二の片部の何れか一方に形成された切込部は、該切込部の形成された片部の前記第一の辺と前記第二の辺との交点側にある側端上で開放するように形成され、第一の片部又は第二の片部の何れか他方に形成された切込部は、該切込部の形成された片部の基端とは反対側の先端上で開放するように形成されていることが好ましい。このようにすれば、ブックカバーを展開したものに形成されるテンプレートの片部と対応する部分を折り曲げて切り込み同士を噛み合わせたときに、テンプレートの片部と対応する部分同士の噛み合わせが確実になり当該部分の起き上がりを確実に防止することができる。
【００１７】
この場合、第一の片部に形成された切込部、及び第二の片部に形成された切込部の少なくとも何れか一方は、前記通過点又は終点に向かうにつれて切り込み幅が狭くなるように形成されていることが好ましい。このようにすれば、ブックカバーを展開したものに形成されるテンプレートの片部と対応する部分を折り曲げて切り込み同士を噛み合わせるときに、切り込み同士の噛み合わせを容易に行うことができる。
【発明の効果】
【００１８】
以上のように、本発明に係るブックカバー作成用テンプレートによれば、本に対する接着を伴うことなく本への装着が維持可能なブックカバーを簡単に作成できる優れた効果を奏し得る。
【図面の簡単な説明】
【００１９】
【図１】本発明の一実施形態に係るブックカバー作成用テンプレートの平面図を示す。
【図２】同実施形態に係るブックカバー作成用テンプレートでブックカバーを作成する手順を説明するための説明図であって、（ａ）は、ブックカバーを作成するためのシート材の斜視図を示し、（ｂ）は、（ａ）に示すシート材を四つ折りにした状態の斜視図を示し、（ｃ）は、四つ折りにしたシート材とブックカバー作成用テンプレートとを重ねた状態を示し、（ｄ）は、シート材をブックカバー作成用テンプレートに沿って切断したものの斜視図を示す。
【図３】図２（ｄ）に示す四つ折りのシート材を展開したもの（ブックカバーを展開したもの）の平面図を示す。
【図４】図３に示すもの（ブックカバーを展開したもの）を折り曲げ加工して作成されたブックカバーの平面図を示す。
【図５】図４に示すブックカバーで本をカバー（被覆）した状態を示す。
【００２０】
【図６】本発明の他実施形態に係るブックカバー作成用テンプレートの平面図を示す。
【発明を実施するための形態】
【００２１】
以下、本発明の一実施形態に係るブックカバー作成用テンプレートについて、添付図面を参照して説明する。
【００２２】
本実施形態に係るブックカバー作成用テンプレート（以下、単にテンプレートという）は、ブックカバーを作成するためのもので、図１に示す如く、平面視矩形状のテンプレート本体１０と、該テンプレート本体１０の外郭を画定する四辺のうちの第一の辺１００上に基端が設定され、該第一の辺１００の全長に亘って延出した第一の片部１１と、該テンプレート本体１０の外郭を画定する四辺のうちの前記第一の辺１００と直角をなして連続する第二の辺１０１上に基端が設定され、少なくとも前記第一の辺１００と前記第二の辺１０１との交点Ｐ側で延出した第二の片部１２とを備えている。
【００２３】
前記テンプレート本体１０は、カバーの対象となる本の表紙（表表紙又は裏表紙）の縦方向の半分のサイズに設定されている。すなわち、テンプレート本体１０は、縦方向の長さがカバーの対象となる本の表紙（表表紙又は裏表紙）の縦方向の長さの半分の長さに設定され、横方向の長さがカバーの対象となる本の表紙（表表紙又は裏表紙）の横方向の長さと同一又は略同一に設定されている。従って、前記第一の辺１００は、カバーの対象となる本の表紙（表表紙又は裏表紙）の縦方向の長さの半分の長さに設定され、前記第二の辺１０１は、カバーの対象となる本の表紙（表表紙又は裏表紙）の横方向の長さと同一又は略同一に設定されている。
【００２４】
前記第一の片部１１は、平面視長方形状に形成されており、長手方向と直交する方向（以下、短手方向という）の一方の端縁がテンプレート本体１０の第一の辺１００と一致した基端となっている。すなわち、第一の片部１１は、テンプレート本体１０の横方向の一方の端縁である第一の辺１００に基端が接続され、長手方向の長さがテンプレート本体１０の第一の辺１００の長さと同一又は略同一に設定されている。
【００２５】
前記第二の片部１２は、平面視略長方形状に形成されており、長手方向と直交する短手方向の一方の端縁がテンプレート本体１０の第二の辺１０１と一致した基端となっている。すなわち、第二の片部１２は、テンプレート本体１０の縦方向の一方の端縁である第二の辺１０１に基端が接続されている。第二の片部１２は、上述の如く、少なくとも前記第一の辺１００と前記第二の辺１０１との交点Ｐ側で延出していればよいが、本実施形態においては、長手方向の長さがテンプレート本体１０の第二の辺１０１の長さと同一又は略同一に設定されている。
【００２６】
本実施形態に係る第二の片部１２は、長手方向の他側端が基端から先端に向けてテーパー状にカットされている。すなわち、第二の片部１２は、長手方向の他側端が基端から先端に向けて長手方向の一側端側に傾斜するように形成されている。
【００２７】
本実施形態に係るテンプレート１は、第一の片部１１及び第二の片部１２のそれぞれに切込部１１０，１１１が形成されている。そして、第一の片部１１に形成された切込部１１０は、第一の片部１１の基端とは反対側の先端上で開放するように形成されている。これに対し、第二の片部１２の切込部１１１は、第一の辺１００と第二の辺１０１との交点Ｐ側にある第二の片部１２の側端（一側端）上で開放するように形成されている。すなわち、第二の片部１２の切込部１１１は、該第二の片部１２の長手方向の一側端上で開放するように形成されている。
【００２８】
第一の片部１１及び第二の片部１２のそれぞれに形成された切込部１１０，１１１は、該切込部１１０，１１１の形成された片部１１，１２の基端の延びる方向と直交する方向で該基端から同一距離離れ、且つ、該切込部１１０，１１１の形成された片部１１，１２の基端が設定された辺１００，１０１と前記交点Ｐを形成する辺１００，１０１の延長線（図示しない）から該片部１１，１２の基端の延びる方向で同一距離離れた位置が通過点又は終点（本実施形態においては終点ＥＰ）になるように形成されている。
【００２９】
すなわち、第一の片部１１に形成された切込部１１０は、第一の片部１１の基端の延びる方向と直交する方向で該基端から所定距離離れ、且つ、第一の片部１１の基端の延びる方向で第二の辺１０１の延長線から所定距離離れた位置が終点ＥＰになるように形成されている。これに対し、第二の片部１２に形成された切込部１１１は、第二の片部１２の基端の延びる方向と直交する方向で該基端から所定距離離れ、且つ、第二の片部１２の基端の延びる方向で第一の辺１００の延長線から所定距離離れた位置が終点ＥＰになるように形成されている。
【００３０】
そして、本実施形態に係るテンプレート１は、第一の片部１１の基端の延びる方向と直交する方向における第一の片部１１の基端から第一の片部１１の切込部１１０の終点ＥＰまでの距離（所定距離）と、第二の片部１２の基端の延びる方向と直交する方向における第二の片部１２の基端から第二の片部１２の切込部１１１の終点ＥＰまでの距離（所定距離）とが同一に設定され、第一の片部１１の基端の延びる方向における第二の辺１０１の延長線から第一の片部１１の切込部１１０の終点ＥＰまでの距離（所定距離）と、第二の片部１２の基端の延びる方向における第一の辺１００の延長線から第二の片部１２の切込部１１１の終点ＥＰまでの距離（所定距離）とが同一に設定されている。
【００３１】
そして、第一の片部１１に形成された切込部１１０、及び第二の片部１２に形成された切込部１１１は、通過点又は終点ＥＰ（本実施形態においては終点ＥＰ）に向かうにつれて切り込み幅が狭くなるように形成されている。
【００３２】
より具体的に説明すると、第一の片部１１に形成された切込部１１０は、先端上で開放するように第一の片部１１を三角状に切り欠いた部分１１０ａと、該三角形状に切り欠いた部分１１０ａを画定する一つのエッジと連続するように第一の片部１１を直線状に切り込んだ部分１１０ｂとで構成されており、該切り込んだ部分１１０ｂの終端が切込部１１０の終点ＥＰとなっている。
【００３３】
これに対し、第二の片部１２に形成された切込部１１１は、側端（長手方向の一側端）上で開放するように第二の片部１２を略三角状に切り欠いた部分１１１ａと、該三角形状に切り欠いた部分１１１ａを画定する二つのエッジが繋がった頂点部分から第二の片部１２を直線状に切り込んだ部分１１１ｂとで構成されており、該切り込んだ部分１１１ｂの終端が切込部１１１の終点ＥＰとなっている。そして、本実施形態に係るテンプレート１は、第二の片部１２上で略三角状に切り欠いた部分１１１ａを画定する二つのエッジのうち、第二の片部１２の先端側にある一方のエッジが他方のエッジ側に凸をなす円弧状に形成されている。
【００３４】
本実施形態に係るテンプレート１は、以上の通りであり、続いて、該テンプレート１を用いてブックカバーを作成する方法を説明すると、まず、図２（ａ）に示す如く、本の表紙を覆うことのできる十分なサイズのシート材Ｓを用意する。このとき、シート材Ｓは、好みに応じた色や模様のもの（図２（ａ）においては無地のシート材）が選択される。
【００３５】
そして、図２（ｂ）に示す如く、当該シート材Ｓを四つ折りにする。すなわち、シート材Ｓを二つ折りにした上で、その二つ折りによって形成される稜線Ｌ１同士が一致するようにさらに二つ折りにする。これにより、四つ折りにされたシート材Ｓは、最初の二つ折りで形成された稜線Ｌ１と、二度目の二つ折りで形成される稜線Ｌ２とが直角又は略直角をなすことになる。
【００３６】
そして、図２（ｃ）に示す如く、テンプレート本体１０の外郭を画定する四辺のうちの第二の辺１０１（第二の片部１２の基端が接続された辺）と平行な第四の辺１０３に対して、四つ折りにしたシート材Ｓの直角をなす二つの稜線Ｌ１，Ｌ２のうちの一方の稜線Ｌ１が一致し、且つ、テンプレート本体１０の外郭を画定する四辺のうちの第一の辺１００（第一の片部１１の基端が接続された辺）と平行な第三の辺１０２に対して、四つ折りにしたシート材Ｓの直角をなす二つの稜線Ｌ１，Ｌ２のうちの他方の稜線Ｌ２がカバーの対象となる本の厚み（背の幅）の半分の寸法と対応する距離離れた位置で平行をなすよう、テンプレート１と四つ折りにしたシート材Ｓとを重ね合わせる。
【００３７】
すなわち、四つ折りにしたシート材Ｓの直角をなす二つの稜線Ｌ１，Ｌ２のうちの他方の稜線Ｌ２を第三の辺１０２に対して本Ｂの厚みに半分の長さ分だけずらし、四つ折りにしたシート材Ｓの直角をなす二つの稜線Ｌ１，Ｌ２のうちの一方の稜線Ｌ１をテンプレート本体１０の外郭を画定する第四の辺１０３に一致させた状態にする。
【００３８】
その後、図２（ｄ）に示す如く、四つ折りにしたシート材Ｓを第一の片部１１、及び第二の片部１２の外縁に沿うように切断する。本実施形態においては、上述の如く、四つ折りにしたシート材Ｓを本Ｂの厚みの半分の長さ分だけずらして配置するようにしているため、テンプレート１からはみ出た部分については、第二の辺１０１の延長線上で切断し、テンプレート１に重なった部分については、第一の片部１１、及び第二の片部１２の外縁に沿って切断する。
【００３９】
このとき、筆記具等で四つ折りにしたシート材Ｓに第一の片部１１、及び第二の片部１２の型取りをした後、四つ折りにしたシート材Ｓを型取りした型に沿って切断してもよいし、カッターナイフやはさみを用いて四つ折りにしたシート材Ｓを第一の片部１１、及び第二の片部１２の外縁に沿ってそのまま切断してもよい。
【００４０】
そして、切断したシート材Ｓを広げる（展開する）と、図３に示す如く、ブックカバー２を展開したものとなる。すなわち、シート材Ｓを広げると、テンプレート１からはみ出ていた部分が本の背を覆う部分（以下、背被覆部という）２０となり、テンプレート本体１０に重ねっていた部分（対応した部分）が、本の表表紙を覆う部分と裏表紙を覆う部分（以下、表紙被覆部という）２１ａ，２１ｂとして背被覆部２０を挟んで両側に形成される。また、第一の片部１１と重なっていた部分（対応した部分）が、表紙被覆部２１ａ，２１ｂのそれぞれの一端（側端）に連続して該一端の略全長に亘って延びる片（以下、第一折返用片部という）２２として形成され、第二の片部１２と重なっていた部分（対応した部分）が、表紙被覆部２１ａ，２１ｂのそれぞれの上下端に連続する片（以下、第二折返用片部という）２３として形成される。なお、図３に示す符号Ｌ１，Ｌ２は、シート材Ｓを四つ折りにしていたときの稜線Ｌ１，Ｌ２であった部分を示している。
【００４１】
そして、図４に示す如く、第一折返用片部２２及び第二折返用片部２３を表紙被覆部２１ａ，２１ｂとの境界線（第一の片部１１とテンプレート本体１０との境界、第二の片部１２とテンプレート本体１０との境界と対応する位置）で色や模様のある面とは反対の面側に折り返す。
【００４２】
そして、上述の如く、シート材Ｓを第一の片部１１及び第二の片部１２に対応して切断することで、展開したシート材Ｓ（第一折返用片部２２及び第二折返用片部２３）に第一の片部１１の切込部１１０と対応した切り込み２４及び第二の片部１２の切込部１１１と対応した切り込み２４，２５が形成されている（図３参照）ことから、第一折返用片部２２及び第二折返用片部２３を折り返すのに併せて、第一折返用片部２２の切り込み２４と、第二折返用片部２３の切り込み２５とを噛み合わせる。
【００４３】
本実施形態において、上述の如く、第一の片部１１及び第二の片部１２のそれぞれに形成された切込部１１０，１１１は、該切込部１１０，１１１の形成された片部１１，１２の基端の延びる方向と直交する方向で該基端から同一距離離れ、且つ、該切込部１１０，１１１の形成された片部１１，１２の基端が設定された辺と前記交点Ｐを形成する辺の延長線から該片部１１，１２の基端の延びる方向で同一距離離れた位置が終点ＥＰになるように形成されているため、これに従って形成した切り込み２４，２５同士を噛み合わせると、両切り込み２４，２５の終点ＥＰ’，ＥＰ’が互いに重なった状態になる。
【００４４】
また、本実施形態に係るテンプレート１は、第一の片部１１の切込部１１０が先端上で開放し、第二の片部１２の切込部１１１が第二の片部１２の側端上で開放するように形成されているため、上述の如く、両切り込み２４，２５を噛み合わせたときに、第一折返用片部２２と第二折返用片部２３との噛み合わせが確実になり、第一折返用片部２２及び第二折返用片部２３の起き上がりが確実に阻止された状態になる。
【００４５】
この状態で、図４及び図５に示す如く、第一折返用片部２２及び第二折返用片部２３が表紙被覆部２１ａ，２１ｂの外周に沿ったコの字状の領域に折り返し部を形成することになり、この折り返し部内に本Ｂの表紙ＢＣａ，ＢＣｂを挿入することで本Ｂへの装着が完了する。
【００４６】
以上のように、本実施形態に係るテンプレート１は、平面視矩形状のテンプレート本体１０と、該テンプレート本体１０の外郭を画定する四辺のうちの第一の辺１００上に基端が設定され、該第一の辺１００の全長に亘って延出した第一の片部１１と、該テンプレート本体１０の外郭を画定する四辺のうちの前記第一の辺１００と直角をなして連続する第二の辺１０１上に基端が設定され、少なくとも前記第一の辺１００と前記第二の辺１０１との交点Ｐ側で延出した第二の片部１２とを備え、第一の片部１１及び第二の片部１２のそれぞれに切込部１１０，１１１が形成され、第一の片部１１及び第二の片部１２のそれぞれに形成された切込部１１０，１１１は、該切込部１１０，１１１の形成された片部１１，１２の基端の延びる方向と直交する方向で該基端から同一距離離れ、且つ、該切込部１１０，１１１の形成された片部１１，１２の基端が設定された辺と前記交点Ｐを形成する辺の延長線から該片部１１，１２の基端の延びる方向で同一距離離れた位置が通過点又は終点ＥＰになるように形成されているため、接着を伴うことなく本Ｂに対する装着を維持することができるブックカバー２を好みに応じて簡単に作成できるという優れた効果を奏し得る。
【００４７】
本実施形態に係るテンプレート１は、第二の片部１２に形成された切込部１１１が前記第一の辺１００と前記第二の辺１０１との交点Ｐ側にある側端上で開放するように形成され、第一の片部１１に形成された切込部１１０が第一の片部１１の先端上で開放するように形成されているので、テンプレート１を用いて形成されたブックカバー２を展開したものを折り曲げて切り込み２４，２５同士を噛み合わせたときに、その噛み合わせが確実になり、テンプレート１の片部１１，１２と対応する部分の起き上がりを確実に防止することができる。
【００４８】
特に、本実施形態に係るテンプレート１は、第一の片部１１に形成された切込部１１０、及び第二の片部１２に形成された切込部１１１は、終点ＥＰに向かうにつれて切り込み幅が狭くなるように形成されているので、ブックカバー２を展開したものを折り曲げて切り込み２４，２５同士を噛み合わせるときに、切り込み２４，２５同士の噛み合わせを容易に行うことができる。
【００４９】
なお、本発明は、上記実施形態に限定されるものではなく、本発明の要旨を逸脱しない範囲で、適宜変更を加え得ることは勿論のことである。
【００５０】
上記実施形態において、第二の片部１２の長手方向の長さをテンプレート本体１０の第二の辺１０１の長さと同一又は略同一に設定し、第二の辺１０１の略全長に亘って延出させるようにしたが、これに限定されるものではなく、例えば、第二の片部１２は、該第二の片部１２の基端が接続される第二の辺１０１の延びる方向で前記交点Ｐ側の半分で延出するようにしたり、第二の辺１０１の延びる方向で前記交点Ｐ側の半分以下で延出するようにしたりしてもよい。すなわち、第一折返用片部２２及び第二折返用片部２３を折り返したときにこれらが互いに重なり合う配置になればよいため、第二の片部１２は、少なくとも前記第一の辺１００と前記第二の辺１０１との交点Ｐ側で延出するように形成すればよい。
【００５１】
上記実施形態において、第一の片部１１の切込部１１０を該片部１１の先端上で開放させ、第二の片部１２の切込部１１１を該片部１２の側端上で開放させるようにしたが、これに限定されるものではなく、例えば、第一の片部１１の切込部１１０を該片部１１の側端上で開放させ、第二の片部１２の切込部１１１を該片部１２の先端上で開放させるようにしてもよい。
【００５２】
上記実施形態において、第一の片部１１及び第二の片部１２のそれぞれに形成された切込部１１０，１１１は、該切込部１１０，１１１の形成された片部１１，１２の基端の延びる方向と直交する方向で該基端から同一距離離れ、且つ、該切込部１１０，１１１の形成された片部１１，１２の基端が設定された辺と前記交点Ｐを形成する辺の延長線から該片部１１，１２の基端の延びる方向で同一距離離れた位置が終点ＥＰになるように形成されたが、これに限定されるものではなく、例えば、第一の片部１１及び第二の片部１２のそれぞれに形成された切込部１１０，１１１は、該切込部１１０，１１１の形成された片部１１，１２の基端の延びる方向と直交する方向で該基端から同一距離離れ、且つ、該切込部１１０，１１１の形成された片部１１，１２の基端が設定された辺と前記交点Ｐを形成する辺の延長線から該片部１１，１２の基端の延びる方向で同一距離離れた位置が通過点になるように形成されてもよい。
【００５３】
上記実施形態において、第一の片部１１及び第二の片部１２の切込部１１０，１１１を終点ＥＰに向けて切り込み幅が狭くなるように形成したが、これに限定されるものではなく、例えば、第一の片部１１及び第二の片部１２の切込部１１０，１１１の両方を切り込み幅が均一な線状のスリットで構成してもよいし、第一の片部１１又は第二の片部１２の何れか一方の切込部１１０，１１１を切り込み幅が均一な線状のスリットで構成し、第一の片部１１又は第二の片部１２の何れか他方の切込部１１０，１１１を終点ＥＰに向けて切り込み２４，２５幅が狭くなるように形成してもよい。この場合においても、第一の片部１１及び第二の片部１２のそれぞれに形成された切込部１１０，１１１は、該切込部１１０，１１１の形成された片部１１，１２の基端の延びる方向と直交する方向で該基端から同一距離離れ、且つ、該切込部１１０，１１１の形成された片部１１，１２の基端が設定された辺と前記交点Ｐを形成する辺の延長線から該片部１１，１２の基端の延びる方向で同一距離離れた位置が通過点又は終点ＥＰになるように形成されることは言うまでもない。
【００５４】
上記実施形態において、第一折返用片部２２及び第二折返用片部２３の折り返し、及び切り込み２４，２５同士の噛み合わせを行った後に、本Ｂへの装着を行ったが、これに限定されるものではなく、本Ｂへの装着に併せて第一折返用片部２２及び第二折返用片部２３の折り返し、及び切り込み２４，２５同士の噛み合わせを行ってもよい。すなわち、ブックカバー２を展開したものに本Ｂを載せ、その本Ｂの表紙ＢＣａ，ＢＣｂの外縁に沿って、第一折返用片部２２及び第二折返用片部２３を折り返すとともに切り込み２４，２５同士を噛み合わせてもよい。このようにしても、第一折返用片部２２及び第二折返用片部２３が表紙被覆部２１ａ，２１ｂの外周に沿ったコの字状の領域に形成される折り返し部に本Ｂの表紙ＢＣａ，ＢＣｂが挿入された状態となり、上記実施形態と同様の仕上がり状態となる。
【００５５】
上記実施形態において、テンプレート本体１０の横方向の長さをカバーの対象となる本Ｂの横方向（幅方向）の長さと同一又は略同一に設定し、ブックカバー２を作成するに当たって第三の辺１０２から四つ折りにしたシート材Ｓの稜線Ｌ２を本Ｂの背ＢＢの横方向の長さの半分の長さ分ずらすように配置することで、シート材Ｓのテンプレート１と重ならない部分で背被覆部２０を形成するようにしたが、これに限定されるものではなく、例えば、カバーの対象となる本Ｂが決まっている場合には、テンプレート本体１０の横方向の長さをカバーの対象となる本Ｂの表紙（表表紙ＢＣａ又は裏表紙ＢＣｂ）の横方向の長さと背ＢＢの幅の半分の長さとの合計寸法と同一又は略同一に設定するようにしてもよい。
【００５６】
このようにすれば、四つ折りにしたシート材Ｓの稜線Ｌ１，Ｌ２を第三及び第四の辺１０２，１０３に一致させるように配置し、第一の片部１１及び第二の片部１２（場合によっては第二の辺１０１）に沿った形状にシート材Ｓを切断することで、ブックカバー２を展開したものが作成される。この場合、テンプレート本体１０の横方向の長さに本Ｂの背ＢＢの幅寸法の要素が含まれているので、第二の片部１２は、第三の辺１０２から本Ｂの厚さ（背ＢＢの幅寸法）の半分以上、前記交点Ｐ側にずれた位置に設けられることが好ましい。なお、本Ｂは、表紙ＢＣａ，ＢＣｂのサイズが規格化されているが、厚みについては頁数等によって異なるため、厚みの異なる本Ｂを対象とする場合には、上記実施形態のように、テンプレート本体１０の横方向の長さを本Ｂの表紙ＢＣａ，ＢＣｂの横方向の長さと同一又は略同一に設定し、第三の辺１０２に対して四つ折りにしたシート材Ｓをずらして配置するようにすることが好ましい。
【００５７】
上記実施形態において、カバーの対象を一冊の本Ｂとしたが、これに限定されるものではなく、サイズの異なる本用のブックカバー２を一つのテンプレート１から作成可能としてもよい。具体的には、図６に示す如く、前記テンプレート本体１０に対し、前記第一の辺１００と平行をなして該第一の辺１００と同方向に延びる縦基準手段３０を第一の辺１００に対して所定間隔（カバーの対象となる本Ｂの表紙ＢＣａ，ＢＣｂの横方向の長さに対応する間隔）をあけて一つ以上設けるとともに、前記第二の辺１０１と平行をなして該第二の辺１０１と同方向に延びる横基準手段３１を第二の辺１０１に対して所定間隔（カバーの対象となる本Ｂの表紙ＢＣａ，ＢＣｂの縦方向の長さの半分の長さに対応する間隔）をあけて一つ以上設けるようにしてもよい。なお、縦基準手段３０及び横基準手段３１は、シート材Ｓの配置の基準として認識できるものであればよく、テンプレート本体１０に描いた線（直線）で構成してもよいし、テンプレート本体１０を貫通させた線状又は帯状のスリットで構成してもよい。
【００５８】
上記構成のテンプレート１でブックカバー２を作成するには、本Ｂの表紙ＢＣａ，ＢＣｂを覆うことのできる十分なサイズのシート材Ｓを四つ折りにし、その四つ折りするときに最初の二つ折りで形成される稜線Ｌ１を横基準手段３１に一致させるとともに、シート材Ｓを二つ折りにした上で更に二つ折りにすることで形成される稜線Ｌ２を縦基準手段３０と平行を保ちつつ該縦基準手段３０から本Ｂの背ＢＢの幅寸法の半分の長さ分ずらすようにして、四つ折りにしたシート材Ｓとテンプレート１とを重ね合わせる。そして、四つ折り状態のシート材Ｓに対して第一の片部１１及び第二の片部１２の型取りを行って該シート材Ｓを型取りした型に沿って切断するか、第一の片部１１及び第二の片部１２に沿って四つ折り状態のシート材Ｓを切断する。そして、縦基準手段３０の延長線上に第二の片部１２が存在する場合には、シート材Ｓの第二の片部１２と重なる部分を縦基準手段３０の延長線上又は該延長線よりも第一の辺１００側で切断するとともに、この切断位置から第三の辺１０３に向けて第二の辺１０２に沿って切断する。
【００５９】
これにより、第三の辺１０２及び第四の辺１０３を基準に稜線Ｌ１，Ｌ２を配置したときよりも小さなブックカバー２を展開したものが四つ折り状態で形成される。従って、縦基準手段３０及び横基準手段３１をそれぞれ一つ以上設けることで、一つのテンプレート１で異なるサイズのブックカバー２を作成することができる。なお、テンプレート本体１０で本Ｂの背ＢＢを覆う背被覆部２０の型取り等を行えるようにする場合、縦基準手段３０は、第一の辺１００からカバーの対象となる本Ｂの表紙ＢＣａ，ＢＣｂ（表表紙ＢＣａ又は裏表紙ＢＣｂ）の幅寸法に背ＢＢの幅寸法の半分の長さ合計した距離離れた位置に設けるようにすればよい。
【００６０】
上記実施形態において、四つ折りにしたシート材Ｓにテンプレート１を重ねて該シート材Ｓを切断するようにしたが、これに限定されるものではなく、例えば、本Ｂの表紙ＢＣａ，ＢＣｂを覆うことのできる十分なサイズのシート材Ｓ上でテンプレート１の配置を換えてブックカバー２の展開図を描き、その展開図に沿ってシート材Ｓを裁断するようにしてもよい。すなわち、テンプレート本体１０の外郭を画定する四辺のうちの第一の辺１００と平行な辺（第三の辺１０２）又は該辺１０２と平行な仮想線を基準に反転させ、また、テンプレート本体１０の外郭を画定する四辺のうちの第二の辺１０１と平行な辺（第四の辺）１０３又は該辺１０３と平行な仮想線を基準に反転させることで、当該テンプレート１を隣接する四つの領域に配置できるため、本Ｂの表紙ＢＣａ，ＢＣｂを覆うことのできる十分なサイズのシート材Ｓに当該テンプレート１を重ねて各領域にテンプレート１を配置する度に、筆記具等でシート材Ｓに第一及び第二の片部１１，１２の型取りすることで、シート材Ｓにブックカバー２を展開したものの型取りを行うことができる。従って、型取りした型に沿ってシート材Ｓを切断すればブックカバー２を展開したものを作成することができる。
【００６１】
上記実施形態において、第二の片部１２の長手方向の他側端をテーパー状（傾斜状）に形成したが、これに限定されるものではなく、例えば、第二の片部１２の他側端を第二の片部１２の基端と直交方向に延びるように形成してもよい。
【符号の説明】
【００６２】
１…テンプレート（ブックカバー作成用テンプレート）、２…ブックカバー、１０…テンプレート本体、１１…第一の片部（片部）、１２…第二の片部（片部）、２０…背被覆部、２１ａ，２１ｂ…表紙被覆部、２２…第一折返用片部、２３…第二折返用片部、２４…切り込み、２５…切り込み、３０…縦基準手段、３１…横基準手段、１００…第一の辺、１０１…第二の辺、１０２…第三の辺、１０３…第四の辺、１１０，１１１…切込部、１１０ａ…切り欠き部分、１１０ｂ…切り込み部分、１１１ａ…切り欠き部分、１１１ｂ…切り込み部分、Ｂ…本、ＢＢ…背、ＢＣａ…表表紙（表紙）、ＢＣｂ…裏表紙（表紙）、ＥＰ，ＥＰ’…終点、Ｌ１，Ｌ２…稜線、Ｐ…交点、Ｓ…シート材
【図１】
0005421095.tif 000002
【図２】
0005421095.tif 000003
【図３】
0005421095.tif 000004
【図４】
0005421095.tif 000005
【図５】
0005421095.tif 000006
【図６】
0005421095.tif 000007